【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
患者の酸素状態システムの指標を提供するための非侵襲的患者監視システムであって、前記システムが、
複数の波長の光を前記患者の身体の中に放出する少なくとも1つの光エミッタと、
前記身体の減衰後の前記光を検出する光検出器であって、前記減衰が前記患者の血液の酸素化に応答し、前記光検出器から1つまたは複数の信号を出力し、前記1つまたは複数の信号が前記減衰に応答する、光検出器と、
前記患者の血液中に溶解し、いかなるヘモグロビン分子にも結合していない酸素の量に応答する指数を電子的に計算するために前記1つまたは複数の信号を処理し、
前記患者への酸素供給の増加に応答して最大値においてプラトーに達している第1のインジケータの警告を出力する
ように構成された1つまたは複数の信号プロセッサと
を備える、非侵襲的患者監視システム。
【請求項２】
前記第1のインジケータを表示するために前記1つまたは複数の信号プロセッサの出力に応答するディスプレイ画面をさらに備える、請求項1に記載のシステム。
【請求項３】
前記ディスプレイが前記警告を表示するようにさらに構成される、請求項2に記載のシステム。
【請求項４】
前記システムが前記警告をオーディオ形式で出力するように構成される、請求項1から3のいずれか一項に記載のシステム。
【請求項５】
前記第1のインジケータが複数の形状を含み、表示される前記形状の数が、前記患者の血液中に溶解し、いかなるヘモグロビン分子にも結合していない前記酸素の量の大きさに対応する、請求項1から4のいずれか一項に記載のシステム。
【請求項６】
前記第1のインジケータが、前記大きさの増加または減少傾向の指標をさらに含む、請求項5に記載のシステム。
【請求項７】
前記患者への前記酸素供給の増加が前記患者のFiO2を監視することによって決定される、請求項1から6のいずれか一項に記載のシステム。
【請求項８】
患者の酸素状態の指標を提供するための非侵襲的患者監視システムであって、前記システムが、
複数の患者の生理学的パラメータに応答して信号を出力するための1つまたは複数のセンサと、
前記信号を受信し、
酸素に結合したヘモグロビン分子の割合を示す第1のインジケータと、
前記患者の血液中に溶解し、いかなるヘモグロビン分子にも結合していない酸素の量を示す第2のインジケータであって、前記第2のインジケータが前記第1のインジケータとは異なる情報を介護者に提供する、第2のインジケータと、
前記第2のインジケータの瞬間的な傾向を示す第3のインジケータと
を計算するように構成された1つまたは複数の信号プロセッサと、
前記第1、第2、および第3のインジケータを表示するために前記1つまたは複数の信号プロセッサの出力に応答するディスプレイと
を備える、非侵襲的患者監視システム。
【請求項９】
前記第1のインジケータが前記患者の酸素飽和度を含む、請求項8に記載のシステム。
【請求項１０】
前記第1のインジケータがグラフおよび/または数値として表示される、請求項9に記載のシステム。
【請求項１１】
前記第2のインジケータが前記患者の血液中の溶存酸素の非侵襲的指数を含む、請求項8から10のいずれか一項に記載のシステム。
【請求項１２】
前記第2のインジケータが複数の形状として表示され、前記形状の数が前記患者の前記血液中の溶存酸素の非侵襲的指数に対応して表示される、請求項11に記載のシステム。
【請求項１３】
前記形状が、長方形、円形、三角形、またはひし形である、請求項12に記載のシステム。
【請求項１４】
前記第1のインジケータが98%未満である場合、形状が表示されない、請求項12または13に記載のシステム。
【請求項１５】
前記第3のインジケータが、前記患者の前記血液中の溶存酸素の非侵襲的指数の増加率または減少率をさらに含む、請求項8から11のいずれか一項に記載のシステム。
【請求項１６】
前記第3のインジケータがある角度を指す矢印として表示され、前記矢印の方向が前記患者の前記血液中の溶存酸素の非侵襲的指数の瞬間的な傾向に対応し、前記角度の大きさが前記患者の前記血液中の溶存酸素の非侵襲的指数の前記増加率または減少率に対応する、請求項15に記載のシステム。
【請求項１７】
前記第1のインジケータが98%未満である場合、前記矢印が略水平を指すように表示される、請求項16に記載のシステム。
【請求項１８】
前記第2のインジケータが、空の、部分的に満たされた、または完全に満たされた形状として表示され、満たされる量が前記患者の前記血液中の溶存酸素の非侵襲的指数に対応する、請求項11に記載のシステム。
【請求項１９】
前記第1のインジケータが98%未満である場合、前記形状が空である、請求項18に記載のシステム。
【請求項２０】
前記形状が、円形、三角形、長方形、またはひし形を含む、請求項18または19に記載のシステム。
【請求項２１】
前記第3のインジケータがある角度において配置されたポインタとして表示され、前記ポインタがダイヤルを形成するように前記形状に結合され、前記ポインタの時計方向が、前記患者の前記血液中の溶存酸素の非侵襲的指数の前記瞬間的な傾向、および/または、前記患者の前記血液中の溶存酸素の非侵襲的指数の増加率もしくは減少率に対応する、請求項18から20のいずれか一項に記載のシステム。
【請求項２２】
前記第1のインジケータが98%未満である場合、前記ダイヤルが3時を表示する、請求項21に記載のシステム。
【請求項２３】
前記1つまたは複数のセンサが、複数の波長の光を前記患者の身体の中に放出するように構成された少なくとも1つの光エミッタと、前記身体の減衰後の前記光を検出するように構成された光検出器とを有する光学センサを備え、前記減衰が前記患者の血液の酸素化に応答する、請求項8から22のいずれか一項に記載のシステム。
【請求項２４】
前記第1のインジケータが前記検出された光に少なくとも部分的に基づいて決定される、請求項23に記載のシステム。
【請求項２５】
前記第2のインジケータが前記検出された光に少なくとも部分的に基づいて決定される、請求項23または24に記載のシステム。
【請求項２６】
前記第3のインジケータが前記検出された光に少なくとも部分的に基づいて決定される、請求項23から25のいずれか一項に記載のシステム。
【請求項２７】
患者の酸素状態の指標を提供するための非侵襲的患者監視システムであって、前記システムが、
複数の波長の光を前記患者の身体の中に放出するように構成された少なくとも1つの光エミッタと、
前記身体の減衰後の前記光を検出するように構成された光検出器であって、前記減衰が前記患者の血液の酸素化に応答し、前記光検出器から1つまたは複数の信号を出力するように構成され、前記1つまたは複数の信号が前記減衰に応答する、光検出器と、
前記患者の血液中に溶解し、いかなるヘモグロビン分子にも結合していない酸素の量を示す第1のインジケータと、
前記第1のインジケータの瞬間的な傾向を示す第2のインジケータと
を電子的に計算するために前記1つまたは複数の信号を処理するように構成された1つまたは複数の信号プロセッサと、
前記第1および第2のインジケータを表示するために前記1つまたは複数の信号プロセッサの出力に応答するディスプレイと
を備える、非侵襲的患者監視システム。
【請求項２８】
前記1つまたは複数の信号プロセッサが、酸素に結合したヘモグロビン分子の割合を示す第3のインジケータを計算するようにさらに構成され、前記第3のインジケータが前記第1または第2のインジケータとは異なる情報を介護者に提供し、前記ディスプレイが前記第3のインジケータを表示するように構成される、請求項27に記載のシステム。
【請求項２９】
前記第3のインジケータが前記患者の酸素飽和度を含む、請求項28に記載のシステム。
【請求項３０】
前記第3のインジケータがグラフおよび/または数値として表示される、請求項28または29に記載のシステム。
【請求項３１】
前記第1のインジケータが前記患者の前記血液中の溶存酸素の非侵襲的指数を含む、請求項27から30のいずれか一項に記載のシステム。
【請求項３２】
前記第1のインジケータが複数の形状として表示され、前記形状の数が前記患者の前記血液中の溶存酸素の非侵襲的指数に対応して表示される、請求項31に記載のシステム。
【請求項３３】
前記形状が長方形、円形、三角形、またはひし形である、請求項32に記載のシステム。
【請求項３４】
前記患者の酸素飽和度が98%未満である場合、形状が表示されない、請求項32または33に記載のシステム。
【請求項３５】
前記第2のインジケータが、前記患者の前記血液中の溶存酸素の非侵襲的指数の増加率または減少率をさらに含む、請求項27から34のいずれか一項に記載のシステム。
【請求項３６】
前記第2のインジケータがある角度における矢印として表示され、前記矢印の方向が前記患者の前記血液中の溶存酸素の非侵襲的指数の瞬間的な傾向に対応し、前記角度の大きさが前記患者の前記血液中の溶存酸素の非侵襲的指数の前記増加率または減少率に対応する、請求項35に記載のシステム。
【請求項３７】
前記第1のインジケータが約98%未満である場合、前記矢印が略水平を指すように表示される、請求項36に記載のシステム。
【請求項３８】
前記第1のインジケータが、空の、部分的に満たされた、または完全に満たされた形状として表示され、満たされる量が前記患者の前記血液中の溶存酸素の非侵襲的指数に対応する、請求項31に記載のシステム。
【請求項３９】
前記患者の酸素飽和度が約98%未満である場合、前記形状が空である、請求項38に記載のシステム。
【請求項４０】
前記形状が、円形、三角形、長方形、またはひし形を含む、請求項38または39に記載のシステム。
【請求項４１】
前記第2のインジケータが、ある角度に向けられたポインタとして表示され、前記ポインタがダイヤルを形成するように前記形状に結合され、前記ポインタの時計方向が、前記患者の前記血液中の溶存酸素の非侵襲的指数の瞬間的な傾向、および/または、前記患者の前記血液中の溶存酸素の非侵襲的指数の前記増加率もしくは減少率に対応する、請求項37から40のいずれか一項に記載のシステム。
【請求項４２】
前記第1のインジケータが約98%未満である場合、前記ダイヤルが約3時を表示する、請求項41に記載のシステム。
【請求項４３】
生理学的パラメータの指標を提供するための非侵襲的患者監視システムであって、前記システムが、
患者の生理学的状態に応答する信号を出力するための1つまたは複数のセンサと、
前記信号を受信し、
生理学的パラメータの大きさを示す第1のインジケータと、
前記生理学的パラメータの増加率または減少率を示す第2のインジケータと
を計算するように構成された1つまたは複数の信号プロセッサと、
前記第1および第2のインジケータを表示するために前記1つまたは複数の信号プロセッサの出力に応答するディスプレイと
を備える、非侵襲的患者監視システム。
【請求項４４】
前記第2のインジケータが前記生理学的パラメータの瞬間的な傾向をさらに示す、請求項43に記載のシステム。
【請求項４５】
前記第1のインジケータが複数の形状を含み、表示される前記形状の数が前記生理学的パラメータの前記大きさに対応する、請求項43または44に記載のシステム。
【請求項４６】
前記生理学的パラメータがゼロであるかまたは計算できない場合、形状が表示されない、請求項45に記載のシステム。
【請求項４７】
前記形状が、長方形、円形、三角形、またはひし形を含む、請求項45または46に記載のシステム。
【請求項４８】
前記第2のインジケータが矢印を含む、請求項43から47のいずれか一項に記載のシステム。
【請求項４９】
前記矢印の角度が前記生理学的パラメータの前記変化率に対応する、請求項48に記載のシステム。
【請求項５０】
前記第1のインジケータが、空の、部分的に満たされた、または完全に満たされた形状を含み、満たされる量が前記生理学的パラメータの前記大きさに対応する、請求項43または44に記載のシステム。
【請求項５１】
前記生理学的パラメータがゼロであるかまたは計算できない場合、前記形状が空である請求項50に記載のシステム。
【請求項５２】
前記形状が、円形、三角形、長方形、またはひし形を含む、請求項50または51に記載のシステム。
【請求項５３】
前記第2のインジケータがポインタを含み、前記ポインタが、ダイヤルを形成するように前記形状に結合され、前記ポインタの時計方向が前記生理学的パラメータの前記瞬間的な傾向、および/または、前記生理学的パラメータの前記増加率または減少率に対応する、請求項50から52のいずれか一項に記載のシステム。
【請求項５４】
前記生理学的パラメータが患者の血液中の溶存酸素の非侵襲的指数である、請求項43から53のいずれか一項に記載のシステム。